(57)【要約】【課題】歯科治療時の色調確認作業に伴う歯科充填材料の無駄の発生を抑制すること。【解決手段】筒体を少なくとも備え、筒体のうち吐出口近傍の部分を成す筒体先端部の内側面４４Ａおよび外側面４４Ｂ、４４Ｃから選択される少なくとも一方の面が、筒体先端部の周方向Ｃ１に沿って２以上の色調が互いに異なる領域に色分けされ、２以上の領域のうち第一領域が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調（Ｉ）を有し、第二領域が、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調（ＩＩ）を有する歯科充填材料用シリンジならびにこれに用いる筒体先端部およびリング状キャップ。【選択図】図６
2018042805.tif 000002
【特許請求の範囲】
【請求項１】
両端にそれぞれ開口を有し、一方の端の開口が吐出口を成す筒体と、
前記筒体内を、前記筒体の軸方向に沿ってスライド可能に配置された押出部材と、を少なくとも備え、
前記筒体のうち前記吐出口近傍の部分を成す筒体先端部の内側面および外側面から選択される少なくとも一方の面が、前記筒体先端部の周方向に沿って２つ以上の領域に分割されると共に、前記筒体先端部の周方向に対して隣接する２つの領域の色調が互いに異なるように色分けされている場合において、
前記２つ以上の領域から選択される第一領域が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調を有し、
前記２つ以上の領域から選択される第二領域が、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調を有することを特徴とする歯科充填材料用シリンジ。
【請求項２】
前記筒体先端部の少なくとも内側面が、前記筒体先端部の周方向に沿って２つ以上の領域に分割されると共に、前記筒体先端部の周方向に対して隣接する２つの領域の色調が互いに異なるように色分けされていることを特徴とする請求項１に記載の歯科充填材料用シリンジ。
【請求項３】
前記筒体先端部の内側面および外側面が、前記筒体先端部の周方向に沿って２つ以上の領域に分割されると共に、前記筒体先端部の周方向に対して隣接する２つの領域の色調が互いに異なるように色分けされていることを特徴とする請求項１または２に記載の歯科充填材料用シリンジ。
【請求項４】
前記２つ以上の領域が、３つの領域を含み、
前記２つ以上の領域から選択される第三領域が、ＪＩＳＺ８７２９で規格されているＬ＊ａ＊ｂ＊表色系におけるａ＊≧１０、ｂ＊≧−２０、ａ＊＞ｂ＊／０．８８＋１８．２、９０≧Ｌ＊≧４０の範囲の第三色調、および、ＪＩＳＺ８７２９で規格されているＬ＊ａ＊ｂ＊表色系における３＜｛（ａ＊）２＋（ｂ＊）２｝１／２＜１１、９０＞Ｌ＊＞３０の範囲の第四色調、からなる群より選択されるいずれかの色調を有することを特徴とする請求項１〜３のいずれか１つに記載の歯科充填材料用シリンジ。
【請求項５】
前記２つ以上の領域が、４つの領域を含み、
前記２つ以上の領域から選択される第三領域が、ＪＩＳＺ８７２９で規格されているＬ＊ａ＊ｂ＊表色系におけるａ＊≧１０、ｂ＊≧−２０、ａ＊＞ｂ＊／０．８８＋１８．２、９０≧Ｌ＊≧４０の範囲の第三色調を有し、
前記２つ以上の領域から選択される第四領域が、ＪＩＳＺ８７２９で規格されているＬ＊ａ＊ｂ＊表色系における３＜｛（ａ＊）２＋（ｂ＊）２｝１／２＜１１、９０＞Ｌ＊＞３０の範囲の第四色調を有することを特徴とする請求項１〜３のいずれか１つに記載の歯科充填材料用シリンジ。
【請求項６】
前記筒体が、両端にそれぞれ開口を有する筒体本体部と、前記筒体本体部の一方の端に脱着可能に取り付けられた前記筒体先端部と、を含むことを特徴とする請求項１〜５のいずれか１つに記載の歯科充填材料用シリンジ。
【請求項７】
前記筒体内に充填される歯科充填材料が、光重合性組成物からなる歯科充填材料であることを特徴とする請求項１〜６のいずれか１つに記載の歯科充填材料用シリンジ。
【請求項８】
両端にそれぞれ開口を有する筒体本体部と、
前記筒体本体部の一方の端に脱着可能に取り付けられ、両端にそれぞれ開口を有すると共に、一方の端の開口が吐出口を成す筒体先端部と、
前記筒体本体部内に、前記筒体本体部の軸方向に沿ってスライド可能に配置された押出部材と、を少なくとも備えた歯科充填材料用シリンジを構成する前記筒体先端部であって、
前記筒体先端部の内側面および外側面から選択される少なくとも一方の面が、前記筒体先端部の周方向に沿って２つ以上の領域に分割されると共に、前記筒体先端部の周方向に対して隣接する２つの領域の色調が互いに異なるように色分けされている場合において、
前記２つ以上の領域から選択される第一領域が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調を有し、
前記２つ以上の領域から選択される第二領域が、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調を有することを特徴とする歯科充填材料用シリンジの筒体先端部。
【請求項９】
両端にそれぞれ開口を有し、一方の端の開口が吐出口を成す筒体と、
前記筒体内を、前記筒体の軸方向に沿ってスライド可能に配置された押出部材と、を少なくとも備えた歯科充填材料用シリンジの前記吐出口に取付けられるリング状キャップであって、
前記リング状キャップの内側面および外側面から選択される少なくとも一方の面が、前記リング状キャップの周方向に沿って２つ以上の領域に分割されると共に、前記リング状キャップの周方向に対して隣接する２つの領域の色調が互いに異なるように色分けされている場合において、
前記２つ以上の領域から選択される第一領域が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調を有し、
前記２つ以上の領域から選択される第二領域が、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調を有することを特徴とする歯科充填材料用シリンジのリング状キャップ。
【請求項１０】
両端にそれぞれ開口を有し、一方の端の開口が吐出口を成す筒体と、
前記筒体内を、前記筒体の軸方向に沿ってスライド可能に配置された押出部材と、を少なくとも備え、
前記吐出口近傍の部分を成す筒体先端部の内側面および外側面の全面が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調、および、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調、からなる群より選択されるいずれかの色調を有する歯科充填材料用シリンジの前記吐出口に取付けられるリング状キャップであって、
前記リング状キャップを周方向に沿って２つ以上の領域に分割した際に、前記２つ以上の領域から選択される第一領域が、透明部材から構成されるか、あるいは、前記リング状キャップの第一領域を占める部材を除外して形成される隙間部分からなり、
前記２つ以上の領域から選択される第二領域のうち、前記リング状キャップの内側面および外側面から選択される少なくとも一方の面が、前記第一色調および前記第二色調のうち、前記筒体先端部の内側面および外側面の全面の色調として選択された色調とは異なる色調を有することを特徴とする歯科充填材料用シリンジのリング状キャップ。
【発明の詳細な説明】
【技術分野】
【０００１】
本発明は、歯科充填材料用シリンジならびにこれに用いる筒体先端部およびリング状キャップに関するものである。                                    
【背景技術】
【０００２】
齲歯などの歯科治療に際しては、コンポジットレジンと呼ばれる高粘度のペースト状の光硬化性組成物などの歯科充填材料を用いて治療が行われる。この歯科充填材料は、特許文献１，２等に例示されるような、広く開口した吐出口において歯科充填材料の視認が可能な歯科充填材料用シリンジ内に充填された状態で保存されており、歯科治療に際しては、必要量を歯科充填材料用シリンジから吐出させて使用する。この歯科充填材料用シリンジは、黒色あるいは白色のモノトーンカラーの樹脂部材から構成され、必要に応じて表面に製品名などが記載されている。
【０００３】
また、治療した部位の審美性を確保するためには、歯牙の修復対象箇所およびその周辺と治療に用いる歯科充填材料との色調を一致させることが重要である。それゆえ、審美性の高い治療を容易とすべく、歯科充填材料の、白色練和紙上で観察される環境下の色調だけでなく、口腔内における色調も正確に確認できる歯科充填材料用載置体が提案されている（特許文献３）。
【先行技術文献】
【特許文献】
【０００４】
【特許文献１】特開２０００−３２５３６２号公報
【特許文献２】特開２０１０−１６２１１１号公報
【特許文献３】特開２００９−２２４３３号公報
【発明の概要】
【発明が解決しようとする課題】
【０００５】
一方、特許文献３に記載された歯科充填材料用載置体と、従来の歯科充填材料用シリンジとを組み合わせて実際の歯科治療において審美的な観点で治療を行う場合、以下のステップ１〜ステップ４に示す操作を順次実施する必要がある。
（ステップ１）口腔内の修復対象箇所およびその近傍の色調を確認する。
（ステップ２）歯科充填材料用シリンジに充填された歯科充填材料を歯科充填材料用載置体上に必要量だけ載置する。
（ステップ３）歯科充填材料用載置体上に載置された歯科充填材料の色調を確認する。
（ステップ４）口腔内の修復対象箇所およびその近傍の色調と歯科充填材料用載置体上に載置された歯科充填材料の色調との一致度合が高いと判断される場合は、修復対象箇所に歯科充填材料を充填して、必要に応じて所望の形状に整えた後、歯科充填材料を重合・硬化させる。
【０００６】
それゆえ、ステップ２、３において特許文献３に記載の歯科充填材料用載置体を用いれば、ステップ４において、歯科充填材料の色調が口腔内の修復対象箇所の色調と一致しているか否かの判断をより正確に行えるため、従来の歯科充填材料用シリンジのみを用いる場合と比べて審美性の高い治療をより容易に行える。
【０００７】
しかしながら、歯科充填材料の色調と、修復対象箇所の色調との一致度合が低い場合、ステップ２において歯科充填材料用シリンジから取り出した歯科充填材料が全て無駄になる。
【０００８】
本発明は上記事情に鑑みてなされたものであり、歯科治療時の色調確認作業に伴う歯科充填材料の無駄の発生を抑制できる歯科充填材料用シリンジならびにこれに用いる筒体先端部およびリング状キャップを提供することを課題とする。
【課題を解決するための手段】
【０００９】
上記課題は以下の本発明により達成される。すなわち、
本発明の歯科充填材料用シリンジは、両端にそれぞれ開口を有し、一方の端の開口が吐出口を成す筒体と、筒体内を、筒体の軸方向に沿ってスライド可能に配置された押出部材と、を少なくとも備え、筒体のうち吐出口近傍の部分を成す筒体先端部の内側面および外側面から選択される少なくとも一方の面が、筒体先端部の周方向に沿って２つ以上の領域に分割されると共に、筒体先端部の周方向に対して隣接する２つの領域の色調が互いに異なるように色分けされている場合において、２つ以上の領域から選択される第一領域が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調を有し、２つ以上の領域から選択される第二領域が、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調を有することを特徴とする。
【００１０】
本発明の歯科充填材料用シリンジの一実施形態は、筒体先端部の少なくとも内側面が、筒体先端部の周方向に沿って２つ以上の領域に分割されると共に、筒体先端部の周方向に対して隣接する２つの領域の色調が互いに異なるように色分けされていることが好ましい。
【００１１】
本発明の歯科充填材料用シリンジの他の実施形態は、筒体先端部の内側面および外側面が、筒体先端部の周方向に沿って２つ以上の領域に分割されると共に、筒体先端部の周方向に対して隣接する２つの領域の色調が互いに異なるように色分けされていることが好ましい。
【００１２】
本発明の歯科充填材料用シリンジの他の実施形態は、２つ以上の領域が、３つの領域を含み、２つ以上の領域から選択される第三領域が、ＪＩＳＺ８７２９で規格されているＬ＊ａ＊ｂ＊表色系におけるａ＊≧１０、ｂ＊≧−２０、ａ＊＞ｂ＊／０．８８＋１８．２、９０≧Ｌ＊≧４０の範囲の第三色調、および、ＪＩＳＺ８７２９で規格されているＬ＊ａ＊ｂ＊表色系における３＜｛（ａ＊）２＋（ｂ＊）２｝１／２＜１１、９０＞Ｌ＊＞３０の範囲の第四色調、からなる群より選択されるいずれかの色調を有することが好ましい。
【００１３】
本発明の歯科充填材料用シリンジの他の実施形態は、２つ以上の領域が、４つの領域を含み、２つ以上の領域から選択される第三領域が、ＪＩＳＺ８７２９で規格されているＬ＊ａ＊ｂ＊表色系におけるａ＊≧１０、ｂ＊≧−２０、ａ＊＞ｂ＊／０．８８＋１８．２、９０≧Ｌ＊≧４０の範囲の第三色調を有し、２つ以上の領域から選択される第四領域が、ＪＩＳＺ８７２９で規格されているＬ＊ａ＊ｂ＊表色系における３＜｛（ａ＊）２＋（ｂ＊）２｝１／２＜１１、９０＞Ｌ＊＞３０の範囲の第四色調を有することが好ましい。
【００１４】
本発明の歯科充填材料用シリンジの他の実施形態は、筒体が、両端にそれぞれ開口を有する筒体本体部と、筒体本体部の一方の端に脱着可能に取り付けられた筒体先端部と、を含むことが好ましい。
【００１５】
本発明の歯科充填材料用シリンジの他の実施形態は、筒体内に充填される歯科充填材料が、光重合性組成物からなる歯科充填材料であることが好ましい。
【００１６】
本発明の歯科充填材料用シリンジの筒体先端部は、両端にそれぞれ開口を有する筒体本体部と、筒体本体部の一方の端に脱着可能に取り付けられ、両端にそれぞれ開口を有すると共に、一方の端の開口が吐出口を成す筒体先端部と、筒体本体部内に、筒体本体部の軸方向に沿ってスライド可能に配置された押出部材と、を少なくとも備えた歯科充填材料用シリンジを構成する筒体先端部であって、筒体先端部の内側面および外側面から選択される少なくとも一方の面が、筒体先端部の周方向に沿って２つ以上の領域に分割されると共に、筒体先端部の周方向に対して隣接する２つの領域の色調が互いに異なるように色分けされている場合において、２つ以上の領域から選択される第一領域が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調を有し、２つ以上の領域から選択される第二領域が、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調を有することを特徴とする。
【００１７】
第一の本発明の歯科充填材料用シリンジのリング状キャップは、両端にそれぞれ開口を有し、一方の端の開口が吐出口を成す筒体と、筒体内を、筒体の軸方向に沿ってスライド可能に配置された押出部材と、を少なくとも備えた歯科充填材料用シリンジの吐出口に取付けられるリング状キャップであって、リング状キャップの内側面および外側面から選択される少なくとも一方の面が、リング状キャップの周方向に沿って２つ以上の領域に分割されると共に、リング状キャップの周方向に対して隣接する２つの領域の色調が互いに異なるように色分けされている場合において、２つ以上の領域から選択される第一領域が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調を有し、２つ以上の領域から選択される第二領域が、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調を有することを特徴とする。
【００１８】
第一の本発明の歯科充填材料用シリンジのリング状キャップは、両端にそれぞれ開口を有し、一方の端の開口が吐出口を成す筒体と、筒体内を、筒体の軸方向に沿ってスライド可能に配置された押出部材と、を少なくとも備え、吐出口近傍の部分を成す筒体先端部の内側面および外側面の全面が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調、および、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調、からなる群より選択されるいずれかの色調を有する歯科充填材料用シリンジの前記吐出口に取付けられるリング状キャップであって、リング状キャップを周方向に沿って２つ以上の領域に分割した際に、前記２つ以上の領域から選択される第一領域が、透明部材から構成されるか、あるいは、リング状キャップの第一領域を占める部材を除外して形成される隙間部分からなり、２つ以上の領域から選択される第二領域のうち、リング状キャップの内側面および外側面から選択される少なくとも一方の面が、第一色調および第二色調のうち、筒体先端部の内側面および外側面の全面の色調として選択された色調とは異なる色調を有することを特徴とする。
【発明の効果】
【００１９】
本発明によれば、歯科治療時の色調確認作業に伴う歯科充填材料の無駄の発生を抑制できる歯科充填材料用シリンジならびにこれに用いる筒体先端部およびリング状キャップを提供することができる。
【図面の簡単な説明】
【００２０】
【図１】本実施形態の歯科充填材料用シリンジの一例を示す外観斜視図である。
【図２】図１に示す歯科充填材料用シリンジの内部構造の一例を示す部分断面図である。
【図３】本実施形態の歯科充填材料用シリンジを構成する筒体のうち吐出口近傍の部分を成す筒体先端部の断面構造の一例を示す断面図である。
【図４】本実施形態のシリンジの筒体先端部の内側面および外側面におけるカラーリングの一例を示す展開平面図である。ここで、図４（Ａ）は、筒体先端部の内側面におけるカラーリングについて示す展開平面図であり、図４（Ｂ）は、筒体先端部の外側面におけるカラーリングについて示す展開平面図である。
【図５】本実施形態のシリンジの筒体先端部の内側面および外側面におけるカラーリングの他の例を示す展開平面図である。ここで、図５（Ａ）は、筒体先端部の内側面におけるカラーリングについて示す展開平面図であり、図５（Ｂ）は、筒体先端部の外側面におけるカラーリングについて示す展開平面図である。
【図６】本実施形態のシリンジの筒体先端部の内側面および外側面におけるカラーリングの他の例を示す展開平面図である。ここで、図６（Ａ）は、筒体先端部の内側面におけるカラーリングについて示す展開平面図であり、図６（Ｂ）は、筒体先端部の外側面におけるカラーリングについて示す展開平面図である。
【図７】本実施形態のシリンジの筒体先端部の内側面および外側面におけるカラーリングの他の例を示す展開平面図である。ここで、図７（Ａ）は、筒体先端部の内側面におけるカラーリングについて示す展開平面図であり、図７（Ｂ）は、筒体先端部の外側面におけるカラーリングについて示す展開平面図である。
【図８】本実施形態のシリンジの筒体先端部の内側面および外側面におけるカラーリングの他の例を示す展開平面図である。ここで、図８（Ａ）は、筒体先端部の内側面におけるカラーリングについて示す展開平面図であり、図８（Ｂ）は、筒体先端部の外側面におけるカラーリングについて示す展開平面図である。
【図９】本実施形態の歯科充填材料用シリンジの他の例を示す側面図である。
【図１０】第一の本実施形態の歯科充填材料用シリンジのリング状キャップの一例を示す模式図である。ここで、図１０（Ａ）は、リング状キャップの側面図であり、図１０（Ｂ）は、図１０（Ａ）に示すリング状キャップを従来の歯科充填材料用シリンジの吐出口に対して取り付けた状態における断面構造の一例を示す断面図である。
【図１１】比較例１で用いた練和紙の平面図である。
【発明を実施するための形態】
【００２１】
図１および図２は本実施形態の歯科充填材料用シリンジ（以下、「シリンジ」と略す場合がある）の一例を示す模式図である。ここで、本実施形態のシリンジ１０Ａ（１０）は、両端にそれぞれ開口２０、３０を有し、一方の端の開口２０が吐出口２０を成す筒体４０と、筒体４０内を筒体４０の軸方向Ａ１に沿ってスライド可能に配置されると共に、外側面が筒体４０の内側面と実質的に隙間なく接触する柱状の押出部材５０とを備える。このシリンジ１０Ａを使用する場合、筒体４０内には、歯科充填材料が充填され、吐出口２０から歯科充填材料を吐出させる際には、押出部材５０を吐出口２０側へとスライドさせることで、筒体４０内に充填された歯科充填材料を吐出口２０を介して筒体４０の外部へと押し出す。
【００２２】
なお、シリンジ１０Ａは、開口２０（吐出口２０）および開口３０が設けられた筒体４０と、押出部材５０とを備えるものであればその構造は特に制限されないが、一般的には、図１および図２に例示されるように、雌ネジ部４２、雄ネジ部５２、把持部５４および蓋部材６０などもさらに有することが特に好ましい。すなわち、図１および図２に示すように、通常、押出部材５０の両端面のうち開口３０が位置する側の面には、ボルト形状の雄ネジ部５２が形成されると共に、雄ネジ部５２の押出部材５０と反対側の端には略平板状の把持部５４が設けられる。また、筒体４０の開口３０側の端部は、雄ネジ部５２と螺合する雌ネジ部４２が設けられる。さらに、筒体４０の吐出口２０側の端部を覆うための蓋部材６０が、筒体４０に対して脱着可能に設けられる。なお、蓋部材６０はヒンジを介して筒体４０に対して回動自在に連結されていてもよい。
【００２３】
また、本実施形態のシリンジ１０Ａにおいては、筒体４０のうち吐出口２０近傍の部分を成す筒体先端部４４の内側面および外側面から選択される少なくとも一方の面が、筒体先端部４４の周方向Ｃ１に沿って２つ以上の領域に分割されると共に、筒体先端部４４の周方向Ｃ１に対して隣接する２つの領域の色調が互いに異なるように色分けされる。
【００２４】
ここで、２つ以上の領域から選択される第一領域が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調を有し、かつ、２つ以上の領域から選択される第二領域が、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調を有する。
【００２５】
従って、第一色調を有する第一領域により、口腔内において、口腔内の暗色が反映され、修復部位の歯牙と調和する色調を有する歯科充填材料を選択することができると共に、環境光（室内光および／または太陽光）の下において、第二色調を有する第二領域により、治療に使用しようとしている歯科充填材料の色調を正確に認識できる。
【００２６】
これに加えて、第一色調を有する第一領域および第二色調を有する第二領域は、各々、筒体先端部４４の表面の一部を占める領域である。このため、歯科充填材料が吐出口２０内に存在する状態で、歯科充填材料の色調を確認することができるため、色調確認のために特許文献３に記載の歯科充填材料用載置体上に歯科充填材料を載置せずともよい。したがって、歯科充填材料の色調と、修復対象箇所の色調との一致度合が低い場合であっても、従来のように色調確認のために歯科充填材料用載置体上に載置した歯科充填材料が無駄になることが無い。勿論、特許文献３に記載の歯科充填材料用載置体を用いずに従来の歯科充填材料用シリンジのみを用いて歯科治療を行う場合と比べても、色調確認作業が容易になるため、色調の確認に要する時間を短縮できると共に、修復対象箇所の色調との一致度合を高めることが容易になる。これは、後述する第三の領域や第四の領域にその他の色調をさらに割り当てる場合も同様である。
【００２７】
なお、第一色調は、｛（a＊）２＋（ｂ＊）２｝１/２値が２．５以下、Ｌ＊値が２５以下であることが好ましく、第二色調は、｛（ａ＊）２＋（ｂ＊）２｝１/２値が１０以下、Ｌ＊値が９２以上であることが好ましい。
【００２８】
また、２つ以上の領域が、３つの領域を含む場合には、２つ以上の領域から選択される第三の領域が、ＪＩＳＺ８７２９で規格されているＬ＊ａ＊ｂ＊表色系におけるａ＊≧１０、ｂ＊≧−２０、ａ＊＞ｂ＊／０．８８＋１８．２、９０≧Ｌ＊≧４０の範囲の第三色調、および、ＪＩＳＺ８７２９で規格されているＬ＊ａ＊ｂ＊表色系における３＜｛（ａ＊）２＋（ｂ＊）２｝１／２＜１１、９０＞Ｌ＊＞３０の範囲の第四色調、からなる群より選択されるいずれかの色調を有することが好ましい。
【００２９】
歯頸部を修復する場合において、単に口腔内の暗さだけではなく、歯肉のピンクの色調も反映された状態で修復部位の歯牙と調和する色調を有する歯科充填材料を選択することが必要となる。このため、第三領域が歯肉の色調に近い第三色調を有する場合、歯肉に近接した部位を治療する際に使用しようとしている歯科充填材料の色調を正確に認識できる。また、裏打ちのある前壁部に形成された窩洞、すなわち、舌側面側まで貫通していない窩洞を有する前歯部を修復する場合において、口腔内の暗さは弱められた状態で修復部位の歯牙と調和する色調を有する歯科充填材料を選択することが必要となる。このため、第三領域が第四色調を有する場合、上述したような修復部位の歯牙と調和する色調を有する歯科充填材料の色調を正確に認識できる。
【００３０】
さらに、２つ以上の領域が、４つの領域を含む場合には、２つ以上の領域から選択される第三領域が、第三色調を有し、２つ以上の領域から選択される第四領域が、第四色調を有することが好ましい。これにより、多様な色調の確認作業がより容易になる。
【００３１】
なお、第三色調は、ａ＊≧１２、ｂ＊≧−１８、ａ＊＞ｂ＊／０．８８＋１８．２、８５≧Ｌ＊≧４５であることが好ましく、第四色調は、４＜｛（ａ＊）２＋（ｂ＊）２｝１／２＜１０、７０＞Ｌ＊＞４０であることが好ましい。
【００３２】
ここで、三次元表色系の代表的なものに、上述したＬ＊ａ＊ｂ＊表色系がある。Ｌ＊ａ＊ｂ＊表色系は、１９７６年に国際照明委員会（ＣＩＥ）で規格化され、日本ではＪＩＳＺ８７２９で規定されている。Ｌ＊ａ＊ｂ＊表色系において、Ｌ＊は明度を表し、０から１００の数値で示す。Ｌ＊が大きければ明るくなり、逆に小さくなれば暗くなる（Ｌ＊＝０は黒、Ｌ＊＝１００は白である。ａ＊、ｂ＊は色度を表す。ａ＊は、正の数値が大きいほど赤くなり、負の数値が大きいほど緑になる。ｂ＊は、正の数値が大きいほど黄になり、負の数値が大きいほど青になる。｛（ａ＊）２＋（ｂ＊）２｝１／２は、Ｌ＊Ｃ＊ｈ表色系で表すところのＣ＊と同じく彩度を表し、無彩色（彩度＝０）より均等色空間内（明度面は一定）でどの程度距離が離れているかを示す。
【００３３】
第一色調〜第四色調は、上述したＬ＊ａ＊ｂ＊表色系で定義された数値範囲内であれば、いずれの色調でも採用できる。しかしながら、第一色調としては黒色を用いることが特に好ましく、第二色調としては白色を用いることが特に好ましい。黒色は口腔内の暗い環境下で歯科充填材料を確認するために好適であり、白色は口腔外の環境下で歯科充填材料を確認するために好適である。また、第三色調としてはピンク色を用いることが特に好ましい。また、第三色調は人間の歯肉の色に基づいて色合いを選択することが望ましい。さらに、第四色調としては、グレー色を用いることが特に好ましい。ただし、グレー色に限定せず、第四色調として、上述したＬ＊ａ＊ｂ＊表色系で定義された数値範囲内の他の色調も採用できる。第四色調は、第一色調と第二色調との間の色調であって、口腔内において、真暗ではない状況下で歯科充填材料を確認するために色調が選択される。
【００３４】
第一色調および第二色調、さらには必要に応じて用いられる第三色調および第四色調は、筒体先端部４４の表面を周方向Ｃ１に沿って２つ以上に分割した各々の領域に割り当てられるため、吐出口２０内に歯科充填材料が存在する状態で極めて効率的に色調確認ができる。
【００３５】
なお、筒体先端部４４の内側面および／または外側面を周方向Ｃ１に沿って２つ以上の領域に分割して、各領域に第一色調、第二色調、さらには必要に応じて第三色調および第四色調を割り当てる場合、筒体先端部４４の表面の色分けの態様は、以下の第一態様〜第三態様のいずれであってもよい。
（ｉ）筒体先端部４４の外側面のみを、筒体先端部４４の周方向Ｃ１に沿って２つ以上の領域に分割すると共に、筒体先端部４４の周方向Ｃ１に対して隣接する２つの領域の色調が互いに異なるように色分けする第一態様
（ｉｉ）筒体先端部４４の内側面のみを、筒体先端部４４の周方向Ｃ１に沿って２つ以上の領域に分割すると共に、筒体先端部４４の周方向Ｃ１に対して隣接する２つの領域の色調が互いに異なるように色分けする第二態様
（ｉｉｉ）筒体先端部４４の内側面および外側面を、筒体先端部４４の周方向Ｃ１に沿って２つ以上の領域に分割すると共に、筒体先端部４４の周方向Ｃ１に対して隣接する２つの領域の色調が互いに異なるように色分けする第三態様
【００３６】
特に、筒体先端部４４の外側面の各々の領域に割り当てられた各色調と、吐出口２０内に存在する歯科充填材料の色調とを目視で直接対比して確認できる上に、歯科充填材料を使用する歯科医師が、どの色調についての確認作業を行っているのかも容易に認識できるという点では、第一態様および第三態様が好ましい。
【００３７】
一方、歯科充填材料は、一般的に半透明状あるいは乳白色状のペースト状物質であるため、歯科充填材料の厚みが薄ければ薄い程、歯科充填材料の背後にある物体表面の色調（背景色）の影響を受けて、歯科充填材料の色調が異なって認識され易くなる。たとえば、形状・サイズが全く同一である白色の樹脂部材からなるシリンジと、黒色の樹脂部材からなるシリンジとに、それぞれ同一種類の歯科充填材料を充填して、各々のシリンジの吐出口内に存在する歯科充填材料を観察した場合、白色のシリンジに充填された歯科充填材料では暗く濃い色調として認識され、黒色のシリンジに充填された歯科充填材料は薄く明るい色調として認識される。すなわち、同一種類の歯科充填材料であっても、背景色が異なれば、白色のシリンジに充填された歯科充填材料と黒色のシリンジに充填された歯科充填材料とでは異なった色調として認識される。それゆえ、筒体先端部４４の内側面を任意の１種類の色からなるモノトーン色とした第一態様では、筒体先端部４４の内側面の色調次第では、歯科充填材料の明度や彩度などの色調の認識誤認あるいは錯覚が生じてしまい、審美性の高い歯科治療が困難となる場合がある。
【００３８】
したがって、上述した問題の発生を抑制する観点では、第二態様または第三態様が好ましい。但し、第二態様において、外側面の全面がモノトーン色では、どの色調についての確認作業を行っているのかが困難となる。このような場合、外側面には、内側面の周方向Ｃ１において分割された各領域の色調に対応する文字表示などを設けることが好ましい。たとえば、内側面が周方向Ｃ１に対して４つの領域に分割され、各領域に、白色、黒色、グレー色、ピンク色が割り当てられている場合、外側面には、「シロ」、「クロ」、「グレー」、「ピンク」の文字などからなる色調識別表示を設けることができる。
【００３９】
なお、本願明細書において、「筒体先端部の内側面」とは、シリンジ１０内に歯科充填材料が充填された状態で、吐出口２０内において歯科充填材料と実質的に常時接触する面を意味する。また、「筒体先端部の外側面」とは、シリンジ１０内に歯科充填材料が充填された状態で、歯科充填材料と実質的に常時接触せず目視で直接視認できる面を意味する。すなわち、「筒体先端部の内側面」とは、図３に示す例では内周側壁面４４Ａを意味し、「筒体先端部の外側面」とは、図３に示す例では端面４４Ｂおよび外周側壁面４４Ｃを意味する。
【００４０】
筒体先端部４４の内側面４４Ａを周方向Ｃ１に沿って２つ以上の領域に分割して、各領域を色分けする場合、周方向Ｃ１と直交する方向Ｘにおいては、内側面４４Ａの方向Ｘ全体において第一色調や第二色調などの所定の色調としてもよく、内側面４４Ａの方向Ｘの一部分において内側面４４Ａを第一色調や第二色調などの所定の色調としてもよい。但し、内側面４４Ａの方向Ｘの一部分のみを第一色調や第二色調などの所定の色調とする場合、出来る限り吐出口２０に近い部分を所定の色調とすることが好ましい。なお、この点は外側面４４Ｂ、４４Ｃについても同様である。また、周方向Ｃ１と直交する方向Ｘに対に対する内側面４４Ａおよび外側面４４Ｂ、４４Ｃの領域広さは特に制限されないが、一般的には、吐出口２０側から約２ｍｍ〜１５ｍｍ程度の領域であればよく、好ましくは約３ｍｍ〜１０ｍｍ程度の領域であればよい。また、本実施形態のシリンジ１０における吐出口２０の直径は、特に限定されるものではないが、約３ｍｍ〜１０ｍｍ程度が一般的である。
【００４１】
図４〜図８は、本実施形態のシリンジ１０Ａの筒体先端部４４の内側面４４Ａおよび外側面４４Ｂ、４４Ｃにおけるカラーリングの一例を示す展開平面図であり、具体的には図３に示す筒体先端部４４の内側面４４Ａおよび外側面４４Ｂ、４４Ｃを周方向Ｃ１に対して展開した状態について示している。ここで、図４（Ａ）〜図８（Ａ）は、内側面４４Ａにおけるカラーリングについて示す展開平面図であり、図４（Ｂ）〜図８（Ｂ）は、外側面４４Ｂ、４４Ｃにおけるカラーリングについて示す展開平面図であり、各図の上端側が吐出口２０側を意味する。また、各図の上端および下端に示す角度は、周方向Ｃ１のある位置を基準（０°）とした場合の周方向Ｃ１における位置を示しており、０°と３６０°とは周方向Ｃ１において同じ位置を意味する。
【００４２】
また、図４〜図８中、ローマ数字の「Ｉ」で示される領域は第一色調を有する領域を意味し、「ＩＩ」で示される領域は第二色調を有する領域を意味し、「ＩＩＩ」で示される領域は第三色調を有する領域を意味し、「ＩＶ」で示される領域は第四色調を有する領域を意味する。なお、この点は後述する図１１においても同様である。
【００４３】
図４に示す例では、内側面４４Ａが周方向Ｃ１に対して２つの領域に２等分されており、図中、左側の領域が第一色調を有し、右側の領域が第二色調を有している。また、外側面４４Ｂ、４４Ｃは、その全面が白色あるいは黒色などのモノトーン色となっている。但し、外側面４４Ｂ、４４Ｃのうち、外周側壁面４４Ｃには、内側面４４Ａの第一色調を有する領域に対応する色調識別表示７０として文字「Ｂ」が表示されており、内側面４４Ａの第二色調を有する領域に対応する色調識別表示７０として文字「Ｗ」が表示されている。
【００４４】
図５に示す例では、外側面４４Ｂ、４４Ｃは周方向Ｃ１に対して２つの領域に２等分されており、図中、左側の領域が第一色調を有し、右側の領域が第二色調を有している。また、内側面４４Ａは、その全面が白色あるいは黒色などのモノトーン色となっている。
【００４５】
図６に示す例では、内側面４４Ａおよび外側面４４Ｂ、４４Ｃが周方向Ｃ１に対して２つの領域に２等分されており、図中、左側の領域が第一色調を有し、右側の領域が第二色調を有している。
【００４６】
図７に示す例では、内側面４４Ａおよび外側面４４Ｂ、４４Ｃが周方向Ｃ１に対して３つの領域に３等分されており、図中、左側の領域が第一色調を有し、中央の領域が第二色調を有し、右側の領域が第三色調を有している。但し、外側面４４Ｂ、４４Ｃのうち外周側壁面４４Ｃについては、外周側壁面４４Ｃの吐出口２０側に近い領域だけが３つの領域に３等分されて色分けされており、それ以外の領域は、白色あるいは黒色などのモノトーン色となっている。
【００４７】
図８に示す例では、内側面４４Ａおよび外側面４４Ｂ、４４Ｃのうちの端面４４Ｂが周方向Ｃ１に対して４つの領域に４等分されており、図中、左側から右側へと、第一色調を有する領域、第二色調を有する領域、第三色調を有する領域、および第四色調を有する領域がこの順に設けられている。また、外側面４４Ｂ、４４Ｃのうち、全面が白色または黒色などのモノトーン色となっている外周側壁面４４Ｃには、内側面４４Ａおよび端面４４Ｂにおいて、第一色調を有する領域に対応する色調識別表示７０として文字「Ｂ」が表示されており、第二色調を有する領域に対応する色調識別表示７０として文字「Ｗ」が表示されており、第三色調を有する領域に対応する色調識別表示７０として文字「Ｐ」が表示されており、第四色調を有する領域に対応する色調識別表示７０として文字「Ｇ」が表示されている。
【００４８】
本実施形態のシリンジ１０内に充填される歯科充填材料は、歯科治療に用いられるペースト状の物質であれば特に制限されず、歯科用のコンポジットレジンやセメントなどの公知の歯科充填材料が利用できる。歯科充填材料は、重合性単量体と重合開始剤とを少なくとも含み、さらに必要に応じて、フィラーや溶媒などを適宜含む組成物である。また、歯科充填材料は、重合性単量体および化学重合開始剤を少なくとも含む化学重合性組成物からなる歯科充填材料、重合性単量体および光重合開始剤を少なくとも含む光重合性組成物からなる歯科充填材料のいずれでも良い。なお、光重合性組成物からなる歯科充填材料の場合、シリンジ１０の吐出口２０から吐出させた後は、環境光により、歯科充填材料中に含まれる重合性単量体の重合・硬化が始まってしまう。このため、特許文献３に記載の歯科充填材料用載置体を用いて色調確認を行っている場合、色調確認に手間取ると、修復対象箇所に対して歯科充填材料を盛り付けて、所望の形状に整えるために必要な時間が短くなってしまうことがある。しかしながら、本実施形態のシリンジ１０を用いる場合は、環境光に対する露出を最小限にできる吐出口２０内に歯科充填材料が存在する状態で色調確認を行うことができるため、上述した問題を大幅に抑制できる。
【００４９】
なお、本実施形態のシリンジ１０は、筒体先端部４４が脱着式であってもよい。図９は、本実施形態のシリンジの他の例について示す側面図である。図９に示すシリンジ１０Ｂ（１０）は、図１および図２に示すシリンジ１０Ａにおける筒体先端部４４を、シリンジ１０Ａの主要部に対して脱着可能な構造としたものである。図９に示すシリンジ１０Ｂは、筒体４０が、両端にそれぞれ開口３２、３０を有する筒体本体部４６Ｂと、筒体本体部４６Ｂの一方の端（開口３２が設けられた側の端）に脱着可能に取り付けられた筒体先端部４６Ｔと、を有する部材である点を除けば、図１および図２等に示すシリンジ１０Ａと実質同様のシリンジである。
【００５０】
ここで、筒体先端部４６Ｔは、吐出口２０が設けられた側の端と反対側の端にも吐出口２０と連通する開口２２を有している。そして、図９に示す例では、開口２２が設けられた側の端を、筒体本体部４６Ｂの開口３２内に差し込んだりあるいはねじ込むことで、筒体先端部４６Ｔを筒体本体部４６Ｂに装着できるようになっている。このため、筒体先端部４６Ｔの開口２２が設けられた側の外径が、筒体本体部４６Ｂの開口３２が設けられた側の内径と略一致するように設定されている。なお、筒体先端部４６Ｔの開口２２が設けられた側の内径が、筒体本体部４６Ｂの開口３２が設けられた側の外径と略一致するように設定してもよい。また、シリンダ１０Ｂにおいては、押出部材５０（図９中、不図示）は、少なくとも筒体本体部４６Ｂ内において、筒体本体部４６Ｂの軸方向Ａ１に沿ってスライド可能に配置されていればよい。
【００５１】
なお、筒体先端部４４、４６Ｔの内側面４４Ａおよび／または外側面４４Ｂ、４４Ｃを、周方向Ｃ１に対して２つ以上の領域に分割して、各領域の色調が異なるように色分けする方法は特に限定されないが、たとえば、（ａ）２種類以上の異なる色調の樹脂材料を用いて筒体先端部４４、４６Ｔや、筒体先端部４４を含む筒体４０全体を成形する方法、（ｂ）モノトーン色の筒体先端部４４、４６Ｔの内側面４４Ａおよび／または外側面４４Ｂ、４４Ｃを２種類以上の色調の異なる塗料でコーティングする方法、あるいは、（ｃ）モノトーン色の筒体先端部４４、４６Ｔの内側面４４Ａおよび／または外側面４４Ｂ、４４Ｃに対して、２種類以上の色調の異なるフィルムを接着して貼り付ける方法、などが挙げられる。
【００５２】
また、筒体先端部の内側面および外側面がモノトーン色からなる点を除けば、図１および図２に例示した本実施形態のシリンジ１０Ａなどと同様の構造を持つ従来のシリンジの吐出口に対して、内側面および外側面から選択される一方の面が、周方向に対して２つ以上の領域に分割されると共に、各領域が、本実施形態のシリンジ１０の筒体先端部４４、４６Ｔと同様に色分けされたリング状キャップを取り付けてもよい。このリング状キャップを用いれば、筒体先端部の内側面および外側面がモノトーン色からなる従来のシリンジであっても、本実施形態のシリンジ１０と同様に歯科充填材料の色調確認を容易に行うことができる。
【００５３】
図１０は、第一の本実施形態のリング状キャップの一例を示す概略模式図であり、図１０（Ａ）が、リング状キャップの側面図を示し、図１０（Ｂ）が、図１０（Ａ）に示すリング状キャップを従来のシリンジの吐出口に対して取り付けた状態における断面構造の一例を示す断面図である。図１０に示すリング状キャップ１００は、両端に開口１０２、１０４を有しており、開口１０４側の端面１０６Ｄには、リング状キャップ１００の軸方向Ａ２に沿って、端面１０６Ｄから、開口１０２側の端面１０６Ｂ側へと伸びる取付け溝１０８が設けられている。また、リング状キャップ１００の内側面（内周側壁面）１０６Ａは、本実施形態のシリンジ１０を構成する筒体先端部４４、４６Ｔの内側面４４Ａと同様の機能・役割を持つ面であり、外側面（端面１０６Ｂ、外周側壁面１０６Ｃ）は、本実施形態のシリンジ１０を構成する筒体先端部４４、４６Ｔの外側面４４Ｂ、４４Ｃと同様の機能・役割を持つ面である。これらの内側面１０６Ａおよび／または外側面１０６Ｂ、１０６Ｃについては、図４〜図８に例示した場合と同様にして、周方向Ｃ２に沿って２つ以上の領域に分割し、各領域を所定の色調で色分けすることができる。
【００５４】
また、図１０に示す従来のシリンジの筒体先端部１４４は、本実施形態のシリンジ１０Ａを構成する筒体先端部４４と同様の構造を有しており、内周側壁面１４４Ａ、端面１４４Ｂおよび外周側壁面１４４Ｃが、筒体先端部４４の内周側壁面４４Ａ、端面４４Ｂおよび外周側壁面４４Ｃにそれぞれ対応している。但し、筒体先端部１４４においては、内周側壁面１４４Ａ、端面１４４Ｂおよび外周側壁面１４４Ｃはその全面が白色および黒色などのモノトーン色からなる。
【００５５】
リング状キャップ１００を使用する場合は、リング状キャップ１００の軸方向Ａ２と、筒体先端部１４４の軸方向Ａ３とを一致させた状態で、リング状キャップ１００を開口１０４側から、従来のシリンジの筒体先端部１４４の吐出口１２０へと差し込むことで、筒体先端部１４４と、リング状キャップ１００の取付け溝１０８とを嵌め合わせる。これによりリング状キャップ１００を筒体先端部１４４に取付けることができる。
【００５６】
なお、従来のシリンジは、一般的に吐出口近傍の部分を成す筒体先端部の内側面および外側面の全面が、白系色あるいは黒系色からなる。したがって、シリンジとして、吐出口近傍の部分を成す筒体先端部の内側面および外側面の全面が、ＪＩＳＺ８７２９で規格されているＬ＊ａ＊ｂ＊表色系における｛（a＊）２＋（ｂ＊）２｝１/２値が３以下、かつ、Ｌ＊値が３０以下の第一色調、および、ＪＩＳＺ８７２９で規格されているＬ＊ａ＊ｂ＊表色系における｛（a＊）２＋（ｂ＊）２｝１/２値が１１以下、かつ、Ｌ＊値が９０以上の第二色調、からなる群より選択されるいずれかの色調を有するシリンジを用いる場合には、以下に説明する第二の本実施形態のリング状キャップを用いることも好適である。
【００５７】
すなわち、第二の本実施形態のリング状キャップは、リング状キャップを周方向に沿って２つ以上の領域に分割した際に、２つ以上の領域から選択される第一領域が、透明部材から構成されるか、あるいは、リング状キャップの第一領域を占める部材を除外して形成される隙間部分からなり、２つ以上の領域から選択される第二領域のうち、リング状キャップの内側面および外側面から選択される少なくとも一方の面が、第一色調および第二色調のうち、筒体先端部の内側面および外側面の全面の色調として選択された色調とは異なる色調を有する。第二の本実施形態のリング状キャップでは、第一領域の色調は、リング状キャップを取り付けるシリンジの筒状先端部の色調となる。そして、第二領域の色調は、第一領域の色調とは異なる色が選択される。たとえば、シリンジの筒状先端部が第一色調を有する場合、第二領域は第二色調を有する。なお、第一領域が隙間部分からなるリング状キャップは、リング状の部材の一部を切断したり、線状の部材を、両端に一定の隙間を設けた状態で円弧状に湾曲させて作製することができる。
【実施例】
【００５８】
以下に、本発明を実施例を挙げて説明するが、本発明は以下の実施例のみに限定されるものでは無い。
【００５９】
歯科充填材料を充填した本実施形態のシリンジ１０Ａを用いて色調確認を行った場合と、歯科充填材料を充填した従来のシリンジおよび特許文献３に記載の歯科充填材料用載置体（練和紙）を用いて色調確認を行った場合とについて、色調確認に要した歯科充填材料の使用量および色調確認に要した時間について評価した。以下に評価方法および評価結果の詳細について説明する。
【００６０】
１．シリンジおよび練和紙
各実施例および比較例において歯科充填材料の色調確認のために使用したシリンジおよび練和紙の詳細を表１および表２に示す。なお、各実施例および比較例で用いたシリンジは、図１および図２に示す構造を有するシリンジ１０Ａであり、筒体先端部４４の内側面４４Ａおよび／または外側面４４Ｂ、４４Ｃの色分け形態のみが表１に示すように異なっている。ここで、筒体先端部４４の色分け形態については、実施例１は、図４に示す色分け形態を採用し、外側面４４Ｂ、４４Ｃは白色とした。実施例２は、図５に示す色分け形態を採用し、内側面４４Ａは白色とした。実施例３〜５は、内側面４４Ａおよび外側面４４Ｂ、４４Ｃの両面を表１に示す色調で色分けした。また、比較例１および比較例２で用いたシリンジは、筒体先端部の内側面および外側面の全面が白色のみからなることを除けば、図１および図２に示すシリンジ１０Ａと同様の構造を持つシリンジである。さらに比較例２で用いた練和紙は、図１１に示すように練和紙２００の歯科充填材料の載置面側に、円形状の色調確認用領域２１０が設けられており、この色調確認用領域２１０は、半円状の第一色調を有する領域と、第一色調を有する領域と隣接する半円状の第二色調を有する領域とに２等分されている。
【００６１】
なお、各実施例で用いたシリンジ１０Ａの筒体先端部４４の内側面４４Ａおよび／または外側面４４Ｂ、４４Ｃの色調および練和紙２００の色調確認用領域２１０のＬ＊ａ＊ｂ＊表色系で示される色調は、色差計（ＴＣ−１８００ｍｋＩＩ、東京電色製）を用いて測定した。
【００６２】
【表１】
2018042805.tif 000003
【００６３】
【表２】
2018042805.tif 000004
【００６４】
２．歯科充填材料
各実施例で用いたシリンジ１０Ａおよび比較例１、２で用いたシリンジに充填する歯科充填材料としては、エステライトΣクイック（トクヤマデンタル製、色調：Ａ２、Ａ３、Ａ３．５）を用いた。そして、各実施例および各比較例について、色調Ａ２、Ａ３およびＡ３．５の各歯科充填材料を各々充填したシリンジを各々１本づつ、合計３本準備した。なお、エステライトΣクイックは、１００００ルクスの環境光下において、約９０秒の操作余裕時間を有するコンポジットレジンである。
【００６５】
３．色調確認評価
レジン歯（リアルクラウン前歯（Ｃ５、色調：Ａ３）およびエンデュラポステリオ（臼歯、Ｍ３０、色調：Ａ３）、松風製）を用いて、以下の３種類の窩洞を形成したレジン歯サンプルを作製した。
（ａ）左下６番の遠心２級窩洞
（ｂ）左上２番の歯肉に近接した５級窩洞
（ｃ）右上１番の裏打ちのある３級窩洞
【００６６】
次に、レジン歯サンプルを顎模型に配列した後、この顎模型を、口腔内を模擬的に再現できる基礎教育実習用の模型（ファントムＤＳＴ、森田製作所製）に装着した。
【００６７】
続いて、各実施例および比較例１については、色調が互いに異なる歯科充填材料が充填された３本のシリンジおよび顎模型を被験者に供与して、また、比較例２については色調が互いに異なる歯科充填材料が充填された３本のシリンジ、練和紙および顎模型を被験者に供与して、被験者が顎模型に配列されたレジン歯の窩洞に最も一致すると判断したシリンジを１本選択した後、このシリンジを用いて歯科充填材を窩洞に充填させる色調確認テストを実施した。この色調確認テストは、各実施例および比較例について、１０人の被験者により実施した。なお、色調確認を実施した室内の環境光の照度は約１００００ルクスであった。
【００６８】
また、色調確認テストにおいて、各実施例および比較例１では、被験者は、歯科充填材料が充填されたシリンジ１０Ａのみを用いて、シリンジ１０Ａから歯科充填材料を吐出させることなく歯科充填材料と窩洞およびその近傍との色調が一致しているか否かにより色調確認を行った。一方、比較例２については、被験者は、歯科充填材料が充填された従来のシリンジから歯科充填材料を練和紙上に吐出させた後に、練和紙上の歯科充填材料と窩洞およびその近傍との色調が一致しているか否かにより色調確認を行った。
【００６９】
ここで、被験者が選択したシリンジに充填されている歯科充填材料が、窩洞の修復に最も適合する色調を有していた場合は、色調一致と判定し、それ以外の場合は色調不一致と判定した。また、被験者が色調確認作業を開始してから終了するまでの時間（すなわち、被験者が色調確認を行い、シリンジを選択するまでの時間）を測定すると共に、操作余裕時間（９０秒）から色調確認に要した時間を差し引いた値を残余の操作余裕時間として算出した。さらに、比較例２における色調確認テストでは、色調確認に際して、各被験者が練和紙上に吐出させた歯科充填材料の使用量を計量した。
【００７０】
色調の一致／不一致の判定結果、色調確認に要した時間、残余の操作余裕時間および色調確認に際して使用した歯科充填材料の使用量を、各実施例および比較例において、色調確認テストのために歯科充填材料と色調を対比した窩洞およびその近傍の種類と共に表３および表４に示す。
【００７１】
ここで、表３および表４中、色調の一致／不一致の判定結果については、色調一致と判定された被験者の人数と、色調不一致と判定された被験者の人数とをそれぞれ集計した結果を示した。また、色調確認に要した時間および残余の操作余裕時間については、各被験者の値の平均値を示した。さらに、比較例２における色調確認テストでは、色調確認に際して、各被験者が練和紙上に吐出させた歯科充填材料の使用量の平均値を示した。
【００７２】
表３に示す結果から、外側面又は内側面を色分けしたシリンジを使用することにより、外側面及び内側面の両面を色分けをせずに白色としたシリンジと比較して、色調確認に要する時間を短くすることができ、色調の一致数も高い結果となった。中でも、内側面を色分けしたシリンジを使用した場合には、より一層、色調確認に要する時間を短くすることができ、色調の一致数を高くできることが分かった。以上のことから、シリンジ先端部分を色分けすることの効果が確認できた。特に、充填された歯科充填材料と直接接する内側面の色分けが大変効果的であることが確認できた。
【００７３】
また、表４に示す結果から、本発明のシリンジを使用することにより、シリンジに充填された歯科充填材料を吐出させることなく、修復対象箇所と一致する色調を選択することができるため、歯科充填材料の無駄の発生を抑制できた。特に、シリンジ先端部分の少なくとも内側面を色分けすることにより、上記効果に加え、各窩洞との色調確認に要した時間を、練和紙を用いたときの時間よりも短くすることができた。さらに、その中でも、内及び外側面の両面を色分けしたシリンジを用いることにより、より操作時間を短くすることができた。すなわち、本発明のシリンジを用いると、従来の色調確認作業を大変効率良く行うことができた。
【００７４】
【表３】
2018042805.tif 000005
【００７５】
【表４】
2018042805.tif 000006
【符号の説明】
【００７６】
１０、１０Ａ、１０Ｂ      ：シリンジ
２０      ：開口（吐出口）
２２、３０、３２      ：開口
４０      ：筒体
４２      ：雌ネジ部
４４      ：筒体先端部
４４Ａ    ：内周側壁面（内側面）
４４Ｂ    ：端面（外側面の一部）
４４Ｃ    ：外周側壁面（外側面の一部）
４６Ｂ    ：筒体本体部
４６Ｔ    ：筒体先端部
５０      ：押出部材
５２      ：雄ネジ部
５４      ：把持部
６０      ：蓋部材
７０      ：色調識別表示
１００    ：リング状キャップ
１０２、１０４    ：開口
１０６Ａ  ：内周側壁面（内側面）
１０６Ｂ  ：端面（外側面の一部）
１０６Ｃ  ：外周側壁面（外側面の一部）
１０６Ｄ  ：端面
１０８    ：取付け溝
１２０    ：吐出口
１４４    ：筒体先端部
１４４Ａ  ：内周側壁面
１４４Ｂ  ：端面
１４４Ｃ  ：外周側壁面
２００    ：練和紙
２１０    ：色調確認用領域
【図１】
2018042805.tif 000007
【図２】
2018042805.tif 000008
【図３】
2018042805.tif 000009
【図４】
2018042805.tif 000010
【図５】
2018042805.tif 000011
【図６】
2018042805.tif 000012
【図７】
2018042805.tif 000013
【図８】
2018042805.tif 000014
【図９】
2018042805.tif 000015
【図１０】
2018042805.tif 000016
【図１１】
2018042805.tif 000017